(57)【要約】【課題】アームレストにおいて、シート側とアームレスト本体との間にケーブルを架け渡すことなくアームレスト本体に送電する。【解決手段】アームレスト１は、シートＳの骨格に固定されるブラケット１０と、ブラケット１０に対して回転可能に取り付けられるアームレスト本体３０と、アームレスト本体３０に設けられた受電部５２と、ブラケット１０に設けられ、非接触方式で受電部５２に伝送可能な送電部５１と、を備える。【選択図】図２
2019209853.tif 000002
【特許請求の範囲】
【請求項１】
シートの骨格に固定されるブラケットと、
前記ブラケットに対して回転可能に取り付けられるアームレスト本体と、
前記アームレスト本体に設けられた受電部と、
前記ブラケットに設けられ、非接触方式で前記受電部に伝送可能な送電部とを備えるアームレスト。
【請求項２】
前記アームレスト本体を前記ブラケットに対して回転変位可能に保持する支持軸をさらに備え、
前記送電部および前記受電部はそれぞれ円環形状をなす空心コイルであって、前記支持軸と同軸状に対面配置されている請求項１に記載のアームレスト。
【請求項３】
前記アームレスト本体を前記ブラケットに対して肘掛位置と跳上位置とに回転変位可能に保持する支持軸をさらに備え、
前記受電部は、前記支持軸の一方向側に偏在して設けられ、
前記送電部は、前記ブラケットにおいて前記支持軸を中心とする部分円環領域内に設けられ、前記送電部は、前記アームレスト本体が肘掛位置に配置されたときに前記受電部に対面する第一送電可能部と、前記アームレスト本体が前記跳上位置に配置されたときに前記受電部に対面する第二送電可能部とを、前記部分円環領域の両端に有する請求項１に記載のアームレスト。
【請求項４】
前記送電部は部分円環形状をなして前記支持軸と同軸状に配置され、
前記送電部は部分円環形状をなし、その周方向における一端側に前記第一送電可能部を備え、他端側に前記第二送電可能部を備える請求項３に記載のアームレスト。
【請求項５】
前記給電部は、互いから分離して設けられた前記第一送電可能部と前記第二送電可能部とを備えている請求項３に記載のアームレスト。
【発明の詳細な説明】
【技術分野】
【０００１】
本明細書に開示された技術は、アームレストに関し、詳しくは、アームレスト本体とシート側との電気的接続構造に関する。
【背景技術】
【０００２】
従来、車両内において携帯電話、スマートフォン、タブレット端末等の携帯機器に電力を供給するための手段を備えるアームレストとして、例えば特許文献１のものが知られている。このアームレストにおいては、アームレスト本体の内部に携帯機器側の接続コードを接続するためのソケットが備えられ、車載設備に接続されている。
【先行技術文献】
【特許文献】
【０００３】
【特許文献１】特開２０１６−１０７６８６号公報
【発明の概要】
【発明が解決しようとする課題】
【０００４】
しかしこの技術においては、ソケットと車載設備とをどのように接続するかが明らかにされていない。これに対しては、例えばシート側からアームレスト内にケーブルを架け渡し、アームレスト内でソケットと接続することが考えられる。しかしこの場合は、ケーブルを配索するスペースを確保するとともに、ケーブルとアームレストとをどのように一体化させるかを検討しなければならない。
【課題を解決するための手段】
【０００５】
本明細書に開示された技術に係るアームレストは、シートの骨格に固定されるブラケットと、前記ブラケットに対して回転可能に取り付けられるアームレスト本体と、前記アームレスト本体に設けられた受電部と、前記ブラケットに設けられ、非接触方式で前記受電部に伝送可能な送電部と、を備える。
【０００６】
この構成によれば、ブラケットに設けられた送電部からアームレスト本体に設けられた受電部に非接触方式で伝送されるから、ブラケット側とアームレスト本体側との間にケーブルを架け渡す必要がない。
【０００７】
本明細書に開示された技術に係る実施態様として、次の構成が好ましい。
【０００８】
（１）前記アームレスト本体を前記ブラケットに対して回転変位可能に保持する支持軸をさらに備え、前記送電部および前記受電部はそれぞれ円環形状をなす空心コイルであって、前記支持軸と同軸状に対面配置されている。
【０００９】
仮に、アームレスト本体がブラケットに対して回転変位したときに送電部と受電部とが互いに対して相対的に位置ずれする構成とした場合には、位置ずれに対応するための中継部材が必要となる。これに対して上記の構成によれば、アームレスト本体をブラケットに対して回転変位させても、送電部と受電部とが互いに対して相対的に位置ずれすることなく対面するから、中継部材およびそれを設けるスペースを省くことができる。
【００１０】
（２）前記アームレスト本体を前記ブラケットに対して肘掛位置と跳上位置とに回転変位可能に保持する支持軸をさらに備え、前記受電部は、前記支持軸の一方向側に偏在して設けられ、前記送電部は、前記ブラケットにおいて前記支持軸を中心とする部分円環領域内に設けられ、前記送電部は、前記アームレスト本体が肘掛位置に配置されたときに前記受電部に対面する第一送電可能部と、前記アームレスト本体が前記跳上位置に配置されたときに前記受電部に対面する第二送電可能部とを、前記部分円環領域の両端に有する。
【００１１】
この構成によれば、送電部は受電部に対面可能な領域に限定して設けられるから、送電部の配置スペースや電力の無駄を省くことができる。
【００１２】
（３）前記送電部は部分円環形状をなして前記支持軸と同軸状に配置され、前記送電部は部分円環形状をなし、その周方向における一端側に前記第一送電可能部を備え、他端側に前記第二送電可能部を備える。
【００１３】
この構成によれば、アームレスト本体を跳上位置から肘掛位置に回転変位させても、受電部が跳上位置から肘掛位置に亘って送電部に連続的に対面するから、受電部の変位に対応するための中継部材およびそれを設けるスペースを省くことができる。
【００１４】
（４）前記送電部は、互いから分離して設けられた第一送電可能部と第二送電可能部とを備えている。
【００１５】
この構成によれば給電コイルは肘掛位置および跳上位置における受電部に対して対面可能な領域に限定して設けられるから、送電部の配置スペースや電力の無駄を省くことができる。
【発明の効果】
【００１６】
本明細書に開示された技術に係るアームレストによれば、シート側とアームレスト本体との間にケーブルを架け渡すことなくアームレスト本体に送電することができる。
【図面の簡単な説明】
【００１７】
【図１】実施形態１のアームレストを示す左側面図
【図２】アームレストを右後方から見た斜視図
【図３】ブラケットを右後方から見た斜視図
【図４】ブラケットを示す左側面図
【図５】アームレスト本体を右後方から見た斜視図
【図６】アームレスト本体を示す右側面図
【図７】図１のＡ−Ａ線における断面図
【図８】実施形態２のブラケットを示す左側面図
【図９】アームレスト本体を示す右側面図
【図１０】肘掛位置における受電部と送電部との磁束鎖交状態を模式的に示す図
【図１１】跳上位置における受電部と送電部との磁束鎖交状態を模式的に示す図
【図１２】実施形態３の肘掛位置におけるアームレストを示す左側面図
【図１３】跳上位置におけるアームレストを示す左側面図
【発明を実施するための形態】
【００１８】
＜実施形態１＞
実施形態１を、図１から図７によって説明する。
（全体構成）
本実施形態のアームレスト１は、図１に示すように車両内のシートＳの側面側に取り付けて使用されるものであって、図２に示すように、略箱型形状をなしてシートＳの骨格に固定されるブラケット１０と、支持軸２０によってブラケット１０に対して回転可能に支持されたアームレスト本体３０とによって構成されている。以下においては、アームレスト１において、左右方向はブラケット１０に対してアームレスト１が設けられた側を左方とし、前後方向は図１における左方を前方とし、上下方向は図１を基準として説明する。
【００１９】
ブラケット１０は、図３および図４に示すように、アームレスト本体３０に対向する対向面１１と、対向面１１から左方に向かって突出する円柱形状の支持軸２０と、支持軸２０と同軸をなして対向面１１から左方に突出した円筒形状の台座部１２とを備えている。支持軸２０と台座部１２との間は、後述するように、アームレスト本体３０の孔縁部３１が嵌合するための嵌合凹部１３となっている。
【００２０】
アームレスト本体３０は、図５に示すように、前方に向かってやや先細りに延びるフレーム部３６と、フレーム部３６の後端付近に設けられた軸受孔３２とを備えている。
【００２１】
図６に示すように、軸受孔３２は円孔形状をなし、フレーム部３６を左右に貫通している。軸受孔３２の右側の孔縁部３１は、フレーム部３６の右側面よりも右方に向かって円筒形状に突出している。
【００２２】
フレーム部３６には、図２に示すように、携帯機器の電源およびデータ通信の回路となるＵＳＢ（ユニバーサル・シリアル・バス）ポート４０が複数埋設され、各差込口４０Ａが外方に露出されている。各ＵＳＢポート４０の後端から引き出されたケーブル４１は、アームレスト本体３０の内部に設けられた配索溝３３を通って、孔縁部３１に向かって延びている。
【００２３】
アームレスト本体３０は、全体が図示しない表皮によって覆われるとともに、表地とアームレスト本体３０との間には、発泡材を充填することで図示しない発泡樹脂層が形成されている。
【００２４】
ブラケット１０にアームレスト本体３０が取り付けられた状態においては、図７に示すように、アームレスト本体３０は、孔縁部３１を嵌合凹部１３に嵌合させ、軸受孔３２に支持軸２０を挿通させている。これにより、アームレスト本体３０はブラケット１０に対し、支持軸２０を中心として回転変位可能となっている。以下においては、アームレスト本体３０において、略水平姿勢とされた位置を肘掛位置ＲＰといい、起立姿勢とされた位置を跳上位置ＦＰという（図１参照）。
【００２５】
ここで、前述のＵＳＢポート４０のための電力をシートＳ側から送電するためには、ケーブル４１をシートＳ側に電気的に接続する必要がある。しかし、仮にケーブル４１をシートＳ側まで延出させアームレスト本体３０の間に架け渡すものとした場合、アームレスト本体３０からどのようにケーブル４１をシートＳ側まで配索するかを検討し、配索スペースを確保しなければならない。また、ケーブル４１をシートＳ側まで仮に配索したとしても、アームレスト本体３０が上述のように回転変位する際に、アームレスト本体３０とシートＳとの間に架け渡されたケーブル４１が他の部材に引っ掛かるか、またはこすれる等して、損傷してしまうことが懸念される。
【００２６】
（電力伝送手段）
そこでアームレスト１においては、図２に示すように、シート側配線とケーブル４１との間に一対の電磁コイル５１，５２を配し、これらの間で非接触方式によって送電（伝送）を行うこととしている。なお、非接触方式とは、金属接点を介さずに電力（または電気信号）を送受する送電方式であり、本実施形態においては電磁誘導方式を採用している。以下においては、一対の電磁コイル５１，５２のうち、ブラケット１０側に設けられた電磁コイルを送電コイル５１（送電部の一例）といい、アームレスト本体３０側に設けられた電磁コイルを受電コイル５２（受電部の一例）という。尚、電気信号（通信）も本願で言う電力送電に含む。電力と電気信号を重畳して非接触で送電することも可能である。
【００２７】
（送電コイル５１）
送電コイル５１は、銅線等を芯線とするエナメル線を渦巻状に巻回してなる円環形状の空心コイルであって、その中心には円形の空心部が形成されている。送電コイル５１は、図４に示すように、支持軸２０と同軸をなすように台座部１２の突出端に重ねられ、図示しない固定手段によって固定されている。送電コイル５１の端末線は、図示しないケーブルを介して車両側の電源（または電気信号源）に接続されている。
【００２８】
送電コイル５１には、図７に示すように、送電コイルカバー５３が被せ付けられている。送電コイルカバー５３は、給電コイル５１に対応した円環形状をなすカバー本体と、カバー本体の外周縁および内周縁のそれぞれから右方に延出した外周壁部および内周壁部とを備えている。これにより、送電コイルカバー５３は、送電コイル５１の左側面、外周面、および内周面を覆っている。
【００２９】
（受電コイル５２）
受電コイル５２は、銅線等を芯線とするエナメル線を渦巻き状に巻回してなる円環形状のコイルであって、その中心には円形の空心部が形成されている。受電コイル５２は、図６に示すように、軸受孔３２と同軸をなすように軸受孔３２の孔縁部３１の外周側に嵌めつけられ、フレーム部３６に対して図示しない固定手段によって固定されている。より詳しくは、アームレスト本体３０には、孔縁部３１と同軸をなしてアームレスト本体３０から右方に向かって円環状に突出させた環状突部３４が設けられている。孔縁部３１の突出端面と、環状突部３４の突出端面とは面一とされている。孔縁部３１と環状突部３４との間は、コイル収容凹部３５となっている。受電コイル５２は、コイル収容凹部３５に嵌め込まれ、図示しない固定手段によって固定されている。受電コイル５２の端末線は、図示しない配索路を通り、ケーブル４１（図２参照）に接続されている。
【００３０】
受電コイル５２には、図７に示すように、受電コイルカバー５４が被せ付けられている。受電コイルカバー５４は、受電コイル５２に対応した円環形状をなすカバー本体と、カバー本体の外周縁および内周縁のそれぞれから左方に延出した外周壁部および内周壁部とを備えている。これにより、受電コイルカバー５４は、受電コイル５２の右側面、外周面、および内周面を覆っている。
【００３１】
（送電コイル５１と受電コイル５２の配置関係）
図７に示すように、アームレスト１が支持軸２０によって保持された状態においては、上述のように軸受孔３２に支持軸２０が挿通されており、受電コイル５２と支持軸２０とは同軸をなしている。送電コイルカバー５３と受電コイルカバー５４との間には、空間Ｃが形成されている。
【００３２】
（組み付け手順）
アームレスト１をシートＳの骨格に取り付けるには、まず、送電コイル５１と送電コイルカバー５３とが取り付けられたブラケット１０を、シートＳの骨格に図示しない固定手段によって固定する。次に、ＵＳＢポート４０およびケーブル４１が表皮および発泡樹脂層の内部に埋設され、受電コイル５２および受電コイルカバー５４が取り付けられたアームレスト本体３０を、ブラケット１０に対して固定する。この際、支持軸２０を軸受孔３２に挿通させ、孔縁部３１の突出端を、嵌合凹部１３の底面に突き当てた状態で、図示しない締結手段によって締結する。これにより、図７に示すように、受電コイル５２と送電コイル５１とが、同軸状に配され、送電コイルカバー５３、空間Ｃ，および受電コイルカバー５４を介して、全周に亘って対面したアームレスト１が形成される。
【００３３】
（回転操作）
かかるアームレスト１の使用時においては、操作者はアームレスト本体３０をブラケット１０に対して支持軸２０を中心として回転させることで、アームレスト本体３０を跳上位置ＦＰと肘掛位置ＲＰとに変位させる。これに伴い、アームレスト本体３０に上述のように取り付けられた受電コイル５２は、ブラケット１０に取り付けられた送電コイル５１に対して支持軸２０を中心として回転する。この際、受電コイル５２と送電コイル５１とは互いに同径であり、同軸をなすように配置されているから、アームレスト本体３０が跳上位置ＦＰ、肘掛位置ＲＰ、およびこれらの間のいずれの位置にあるときにも、送電コイル５１と受電コイル５２との磁界結合状態が維持される。
【００３４】
（作用効果）
本実施形態の構成によれば、アームレスト１は、シートＳの骨格に固定されるブラケット１０と、前記ブラケット１０に対して回転可能に取り付けられるアームレスト本体３０と、前記アームレスト本体３０に設けられた受電部（受電コイル５２）と、前記ブラケット１０に設けられ、非接触方式で前記受電部５２に伝送可能な送電部（送電コイル５１）と、を備える。
【００３５】
この構成によれば、ブラケット１０に設けられた送電部５１からアームレスト本体３０に設けられた受電部５２に非接触方式で伝送されるから、ブラケット１０側とアームレスト本体３０側との間にケーブル４１を架け渡す必要がない。
【００３６】
前記アームレスト本体３０を前記ブラケット１０に対して回転変位可能に保持する支持軸２０をさらに備え、前記送電部５１および前記受電部５２はそれぞれ円環形状をなす空心コイルであって、前記支持軸２０と同軸状に対面配置されている。
【００３７】
仮に、アームレスト本体３０がブラケット１０に対して回転変位したときに送電部５１と受電部５２とが互いに対して相対的に位置ずれする構成とした場合には、位置ずれに対応するための中継部材が必要となる。これに対して上記の構成によれば、アームレスト本体３０をブラケット１０に対して回転させても、送電部５１と受電部５２とが互いに対して相対的に位置ずれすることなく対面するから、中継部材およびそれを設けるスペースを省くことができる。
【００３８】
本実施形態においてはアームレスト本体とシート側との電気的接続構造に関し非接触送電のみを記載したが、非接触送電と有線送電を併用しても良い。一般に電源線は太く、信号線は細いことから、電源線のみ非接触方式とした場合でもその効果は大きい。尚、この効果は以下に記載する第２、第３の実施形態においても同様である。
【００３９】
＜実施形態２＞
次に、実施形態２を図８から図１１によって説明する。本実施形態において、実施形態１と対応する構成については、実施形態１の符号に１００を足した符号を用いるものとする。実施形態１と同じ構成、作用、および効果についてはその説明を省略するものとし、実施形態１と同じ構成については同一の符号を用いるものとする。
【００４０】
実施形態１の送電コイル５１および受電コイル１５２はそれぞれ円環形状をなしているのに対して、本実施形態の送電コイル１５１および受電コイル１５２は、それぞれ部分円環形状をなしている。
【００４１】
送電コイル１５１は、図８に示すように、中心角αが約２４０°をなす部分円環形状に巻回されて支持軸２０と同軸状に配置され、支持軸２０を中心とする部分円環領域Ｒ１０１を構成している。これにより、送電コイル１５１の空心部１５１Ｃは、支持軸２０を中心とする部分円環形状をなしている。詳しくは、送電コイル１５１のうち、一端側において中心角が前方に向かって上下に６０°（全体で１２０°）をなす部分は第一送電可能部１５１Ａとなっており、残りの部分は第二送電可能部１５１Ｂとなっている。第一送電可能部１５１Ａの空心部１５１Ｃと第二送電可能部１５１Ｂの空心部１５１Ｃとは、送電コイル１５１の周方向において連なっている。
【００４２】
受電コイル１５２は、図９に示すように、中心角βが約１２０°をなす部分円環形状に巻回され、フレーム部３６の延び方向（すなわち、アームレスト本体３０が肘掛位置ＲＰに配置された状態において前方となる方向）において、軸受孔３２と同軸状に配置されている。これにより、受電コイル１５２の空心部１５２Ｃは、軸受孔３２を中心とする部分円環形状をなしている。
【００４３】
受電コイル１５２は、肘掛位置ＲＰに配置されたときには、図１０に示すように、給電コイル１５１の第一送電可能部１５１Ａに対面し、空心部１５２Ｃを第一送電可能部１５１Ａにおける空心部１５１Ｃに対向させる。受電コイル１５２は、跳上位置ＦＰに配置されたときには、図１１に示すように、第二送電可能部１５１Ｂに対面し、空心部１５２Ｃを第二送電可能部１５１Ｂにおける空心部１５１Ｃに対向させる。これにより、受電コイル１５２が肘掛位置ＲＰ、跳上位置ＦＰのいずれに配置されたときにも、送電コイル１５１と受電コイル１５２とを鎖交する磁束Ｍが形成される。
【００４４】
また、本実施形態においては第一送電可能部１５１Ａの空心部と、第二送電可能部１５１Ｂの空心部とは、送電コイル１５１の周方向において連通している。したがって、受電コイル１５２が肘掛位置ＲＰおよび跳上位置ＦＰとの間においても、受電コイル１５２と送電コイル１５１とを鎖交する磁束Ｍが維持される。
【００４５】
本実施形態の構成によれば、前記アームレスト本体３０を前記ブラケット１０に対して肘掛位置ＲＰと跳上位置ＦＰとに回転変位可能に保持する支持軸２０をさらに備え、前記受電部１５２は、前記支持軸２０の一方向側に偏在して設けられ、前記送電部１５１は、前記ブラケット１０において前記支持軸２０を中心とする部分円環領域Ｒ１０１内に設けられ、前記送電部１５１は、前記アームレスト本体３０が肘掛位置ＲＰに配置されたときに前記受電部１５２に対面する第一送電可能部１５１Ａと、前記アームレスト本体３０が前記跳上位置ＦＰに配置されたときに前記受電部１５２に対面する第二送電可能部１５１Ｂとを、前記部分円環領域Ｒ１０１の両端に有する。
【００４６】
この構成によれば、送電部１５１は受電部１５２に対面可能な領域に限定して設けられるから、送電部１５１の配置スペースや電力の無駄を省くことができる。
【００４７】
前記送電部１５１は部分円環形状をなして前記支持軸２０と同軸状に配置され、前記送電部１５１は部分円環形状をなし、その周方向における一端側に前記第一送電可能部１５１Ａを備え、他端側に前記第二送電可能部１５１Ｂを備える。
【００４８】
この構成によれば、アームレスト本体３０を跳上位置ＦＰから肘掛位置ＲＰに回転変位させても、受電部１５２が跳上位置ＦＰから肘掛位置ＲＰに亘って送電部１５１に連続的に対面するから、受電部１５２の変位に対応するための中継部材およびそれを設けるスペースを省くことができる。
【００４９】
＜実施形態３＞
次に、実施形態３を図１２および図１３によって説明する。本実施形態において、実施形態２と同じ構成、作用、および効果についてはその説明を省略するものとし、実施形態２と同じ構成については、実施形態１の符号に２００を足した符号を用いるものとする。実施形態２と同じ構成、作用、および効果についてはその説明を省略するものとし、実施形態２と同じ構成については同一の符号を用いるものとする。
【００５０】
実施形態２の送電コイル５１は、全体として一つの部分円環形状をなし、その両端に第一送電可能部１５１Ａと第二送電可能部１５１Ｂとを備えるのに対して、本実施形態の送電コイル２５１は、図１２に示すように、互いから分離された円環形状をなし互いに同径の空心コイルである第一送電可能部２５１Ａと第二送電可能部２５１Ｂとによって構成されている。第一送電可能部２５１Ａの空心部２５１Ｃと、第二送電可能部２５１Ｂの空心部２５１Ｃは、それぞれ円形状をなしている。第一送電可能部２５１Ａの空心部２５１Ｃと、第二送電可能部２５１Ｂの空心部２５１Ｃは、図１２および図１３に示すように、アームレスト本体３０が肘掛位置ＲＰと跳上位置ＦＰとのいずれの位置に配置されたときにも、フレーム部３６によって左方から覆われている。
【００５１】
第一送電可能部２５１Ａは、支持軸２０の前方に配置されている。第二送電可能部２５１Ｂは、支持軸２０を中心として第一送電可能部２５１Ａから略１２０°の角度をなし、支持軸２０からの離間距離が互いに等距離となる位置に配置されている。言い換えれば、第一送電可能部２５１Ａと第二送電可能部２５１Ｂは、支持軸２０を中心とする部分円環領域Ｒ２０１内の両端に配されている。
【００５２】
受電コイル２５２は、第一送電可能部２５１Ａおよび第二送電可能部２５１Ｂよりも僅かに大径の円環形状をなす空心コイルであって、全体が支持軸２０よりもフレーム部３６の延び方向側に偏在して配置されている。
【００５３】
受電コイル２５２は、肘掛位置ＲＰにおいては、図１２に示すように、第一送電可能部２５１Ａに対面し、受電コイル２５２と第一送電可能部２５１Ａとを鎖交する磁束が形成される。受電コイル２５２は、跳上位置ＦＰにおいては、図１３に示すように、第二送電可能部２５１Ｂに対面し、受電コイル２５２と第二送電可能部２５１Ｂとを鎖交する磁束が形成される。すなわち、実施形態２と同様、受電コイル２５２が肘掛位置ＲＰ、跳上位置ＦＰのいずれに配置されたときにも、受電コイル２５２と送電コイル２５１とを鎖交する磁束が形成される。
【００５４】
本実施形態の構成によれば、前記送電部２５１は、互いから分離して設けられた前記第一送電可能部２５１Ａと前記第二送電可能部２５１Ｂとを備えている。
【００５５】
この構成によれば、給電コイル２５１は肘掛位置ＲＰおよび跳上位置ＦＰにおける受電部２５２に対して対面可能な領域に限定して設けられるから、送電部２５１の配置スペースや電力の無駄を省くことができる。
【００５６】
＜他の実施形態＞
本明細書に開示された技術は上記記述及び図面によって説明した実施形態に限定されるものではなく、例えば次のような形態で実施することが可能である。
【００５７】
（１）上記実施形態においては非接触方式として電磁誘導方式を採用し、送電部５１および受電部５２として空心コイルを設けているが、非接触方式はこれに限らない。例えば、磁界共鳴方式としてもよいし、または電界結合方式、電波受信方式等を採用してもよい。また、送電部および受電部は電磁コイルに限らず、採用する非接触方式に応じて電極やアンテナ等によって構成すればよい。
【００５８】
（２）上記実施形態においては電磁誘導方式における送電部５１および受電部５２として、各々金属線を渦巻き状に巻回してなる円盤形状のコイルを採用しているが、送電部および受電部の構成はこれに限らない。例えば、金属線を螺旋状に巻回してなる筒型コイルを採用してもよいし、または銅板のエッチング加工や銅箔プリント等によって送電部および受電部を形成してもよい。
【００５９】
（３）上記実施形態２および実施形態３においては、送電部１５１，２５１が肘掛位置ＲＰに配置された受電部１５２，２５２に対面可能な第一送電可能部１５１Ａ，２５１Ａと、跳上位置ＦＰに配置された受電部１５２，２５２に対面可能な第二送電可能部１５１Ｂ，２５１Ｂとを備える構成としたが、これに代えて、受電部が肘掛位置において送電部に対面可能な第一受電可能領域と、跳上位置において送電部に対面可能な第二受電可能領域を備える構成としてもよい。  
【符号の説明】
【００６０】
１０：ブラケット
２０：支持軸
３０：アームレスト本体
５１，１５１，２５１：送電コイル（送電部）
５２，１５２，２５２：受電コイル（受電部）
１５１Ａ、２５１Ａ：第一送電可能部
１５１Ｂ、２５１Ｂ：第二送電可能部
ＦＰ：跳上位置
ＲＰ：肘掛位置
Ｒ１０１：部分円環領域
【図１】
2019209853.tif 000003
【図２】
2019209853.tif 000004
【図３】
2019209853.tif 000005
【図４】
2019209853.tif 000006
【図５】
2019209853.tif 000007
【図６】
2019209853.tif 000008
【図７】
2019209853.tif 000009
【図８】
2019209853.tif 000010
【図９】
2019209853.tif 000011
【図１０】
2019209853.tif 000012
【図１１】
2019209853.tif 000013
【図１２】
2019209853.tif 000014
【図１３】
2019209853.tif 000015